(57)【要約】【課題】複数の部屋からの排気風路の風量を個別に調整可能な排気用ダクト分岐継ぎ手を得ること。【解決手段】排気用ダクト分岐継ぎ手３０は、複数のダクトのうち熱交換換気装置と接続された主ダクトが接続される主ダクト接続口３５と、複数のダクトのうち部屋と個別に接続された複数の分岐ダクトが接続される複数の第１分岐口と、複数の第１分岐口に設けられ、外部から受信する信号に基づいて第１分岐口を任意の開度で開閉可能な風量切替ダンパ４０１，４０２，４０３，４０４と、を備える。【選択図】図６
2020201015.tif 000002
【特許請求の範囲】
【請求項１】
室外の空気を部屋に給気するための給気風路と、前記部屋の空気を前記室外に排気するための排気風路と、前記排気風路を流れる排気流と前記給気風路を流れる給気流との間で熱交換を行う熱交換器と、を筐体の内部に備えた熱交換換気装置と、複数の前記部屋と、を複数のダクトを介して接続するための排気用ダクト分岐継ぎ手であって、
前記複数のダクトのうち前記熱交換換気装置と接続された主ダクトが接続される主ダクト接続口と、
前記複数のダクトのうち前記部屋と個別に接続された複数の分岐ダクトが接続される複数の第１分岐口と、
複数の前記第１分岐口に設けられ、外部から受信する信号に基づいて前記第１分岐口を任意の開度で開閉可能な風量切替ダンパと、
を備えることを特徴とする排気用ダクト分岐継ぎ手。
【請求項２】
前記風量切替ダンパは、
前記第１分岐口に設けられて前記第１分岐口を任意の開度で開閉する風量制御ダンパ羽根と、
前記風量制御ダンパ羽根を開閉駆動する駆動モータと、
前記駆動モータを制御して前記風量制御ダンパ羽根の開度を制御するダンパ制御部と、
を備えることを特徴とする請求項１に記載の排気用ダクト分岐継ぎ手。
【請求項３】
前記第１分岐口を流れる空気の風量を検出する第１差圧センサを複数の前記第１分岐口に備え、
前記ダンパ制御部が、前記給気流の空気質を示す前記信号および前記給気流の空気質を示す前記信号の内少なくとも一方に基づいて前記風量制御ダンパ羽根の開度を制御すること、
を特徴とする請求項２に記載の排気用ダクト分岐継ぎ手。
【請求項４】
複数の前記第１分岐口のうち１つの前記第１分岐口からさらに分岐された第２分岐口と、
前記第２分岐口に設けられ、外部から受信する信号に基づいて前記第２分岐口を任意の開度で開閉可能な風量切替ダンパと、
を備えることを特徴とする請求項２または３に記載の排気用ダクト分岐継ぎ手。
【請求項５】
前記第１分岐口を流れる空気の風量を検出する第１差圧センサを複数の前記第１分岐口に備え、
前記ダンパ制御部が、前記第１差圧センサの検出結果に基づいて前記風量制御ダンパ羽根の開度を制御すること、
を特徴とする請求項２から４のいずれか１つに記載の排気用ダクト分岐継ぎ手。
【請求項６】
前記第１差圧センサにおける検出結果に基づいて、前記第１差圧センサが配置された前記第１分岐口に設けられた前記風量切替ダンパの開閉を制御可能であり、また前記熱交換換気装置における運転パワーの増減を指示する信号を前記熱交換換気装置に送信可能である風量制御部を備えること、
を特徴とする請求項５に記載の排気用ダクト分岐継ぎ手。
【請求項７】
前記主ダクト接続口を流れる空気の風量を検出する第２差圧センサを複数の前記主ダクト接続口に備え、
前記ダンパ制御部が、前記第２差圧センサの検出結果に基づいて前記風量制御ダンパ羽根の開度を制御すること、
を特徴とする請求項２から６のいずれか１つに記載の排気用ダクト分岐継ぎ手。
【発明の詳細な説明】
【技術分野】
【０００１】
本発明は、熱交換換気システムに使用される排気用ダクト分岐継ぎ手に関する。
【背景技術】
【０００２】
従来、室内空気を室外に排気するための排気風路と、室外の空気を室内に給気するための給気風路とをケーシング内に備え、排気風路を流れる排気流と給気風路を流れる給気流とを熱交換素子に通過させることで、気流間での熱交換を行いながら換気を行う熱交換換気装置が用いられている。このような熱交換換気装置において、室内の空気を室外に排気する吸込み口は、住宅における１階トイレ、２階トイレ、洗面および浴室に設置されることがある。この場合、例えば居住者が、１階トイレの使用後にトイレ内の臭気を排出するために１階トイレを急速排気運転する場合がある。また、居住者が、浴室の使用後に浴室の湿気を排出するために、浴室を急速排気運転する場合がある。
【０００３】
特許文献１には、第１の室内側吸込口と室外側吹出口とを結ぶ熱交換排気風路と、熱交換素子と排気送風機との間で熱交換素子を通過せずに熱交換排気風路に合流する直接排気風路と、の開度を調整するダンパがケーシングの内部に設けられた熱交換換気装置が開示されている。
【先行技術文献】
【特許文献】
【０００４】
【特許文献１】特許第６４２６３５３号公報
【発明の概要】
【発明が解決しようとする課題】
【０００５】
しかしながら、上記特許文献１によれば、熱交換換気装置の内部に浴室からの排気の風路とトイレからの排気の風路との風量を切り替えるダンパを有する構造となっている。このため、浴室からの排気風路とトイレからの排気風路との風量調整を個別に行うことができない、という問題があった。
【０００６】
本発明は、上記に鑑みてなされたものであって、複数の部屋からの排気風路の風量を個別に調整可能な排気用ダクト分岐継ぎ手を得ることを目的とする。
【課題を解決するための手段】
【０００７】
上述した課題を解決し、目的を達成するために、本発明にかかる排気用ダクト分岐継ぎ手は、室外の空気を部屋に給気するための給気風路と、部屋の空気を室外に排気するための排気風路と、排気風路を流れる排気流と給気風路を流れる給気流との間で熱交換を行う熱交換器と、を筐体の内部に備えた熱交換換気装置と、複数の部屋と、を複数のダクトを介して接続するための排気用ダクト分岐継ぎ手である。排気用ダクト分岐継ぎ手は、複数のダクトのうち熱交換換気装置と接続された主ダクトが接続される主ダクト接続口と、複数のダクトのうち部屋と個別に接続された複数の分岐ダクトが接続される複数の第１分岐口と、複数の第１分岐口に設けられ、外部から受信する信号に基づいて第１分岐口を任意の開度で開閉可能な風量切替ダンパと、を備える。
【発明の効果】
【０００８】
本発明にかかる排気用ダクト分岐継ぎ手によれば、複数の部屋からの排気風路の風量を個別に調整可能になる、という効果を奏する。
【図面の簡単な説明】
【０００９】
【図１】本発明の実施の形態１にかかる熱交換換気システムの構成を示す図であり、住宅の１階の室内を換気対象空間とする構成部分について示した図
【図２】本発明の実施の形態１にかかる熱交換換気システムの構成を示す図であり、住宅の２階の室内を換気対象空間とする構成部分について示した図
【図３】本発明の実施の形態１にかかる熱交換換気システムの機能構成を示すブロック図
【図４】本発明の実施の形態１にかかる熱交換換気システムに適用される熱交換換気装置の構成を示す模式図
【図５】本発明の実施の形態１における処理回路のハードウェア構成の一例を示す図
【図６】本発明の実施の形態１にかかる排気用ダクト分岐継ぎ手の構造を示す模式図
【図７】本発明の実施の形態１にかかる熱交換換気システムに適用される他の熱交換換気装置の構成を示す模式図
【図８】本発明の実施の形態１にかかる他の排気用ダクト分岐継ぎ手の構造を示す模式図
【図９】本発明の実施の形態１にかかる他の排気用ダクト分岐継ぎ手の構造を示す模式図
【図１０】本発明の実施の形態１にかかる風量制御部への信号の入出力を示す図
【図１１】本発明の実施の形態１にかかる風量制御部が第１分岐口を通る空気の風量を一定に保つ処理の手順を示すフローチャート
【発明を実施するための形態】
【００１０】
以下に、本発明の実施の形態にかかる排気用ダクト分岐継ぎ手を図面に基づいて詳細に説明する。なお、この実施の形態によりこの発明が限定されるものではない。また、以下に示す図面においては、理解の容易のため、各部材の縮尺が実際とは異なる場合がある。各図面間においても同様である。
【００１１】
実施の形態１．
図１は、本発明の実施の形態１にかかる熱交換換気システム１００の構成を示す図であり、住宅の１階の室内を換気対象空間とする構成部分について示した図である。図２は、本発明の実施の形態１にかかる熱交換換気システム１００の構成を示す図であり、住宅の２階の室内を換気対象空間とする構成部分について示した図である。なお、図２においては、天井裏に配置された熱交換換気装置を併せて示している。図１および図２における矢印は、給排気による空気の流れの方向を示している。図３は、本発明の実施の形態１にかかる熱交換換気システム１００の機能構成を示すブロック図である。
【００１２】
熱交換換気システム１００は、住宅において換気が必要とされる排気対象空間である複数の部屋の換気を行う。熱交換換気システム１００は、熱交換換気装置１０と、センサ２０と、排気用ダクト分岐継ぎ手３０と、操作スイッチ５０と、外部機器６０と、を備える。熱交換換気装置１０、センサ２０、排気用ダクト分岐継ぎ手３０、操作スイッチ５０、および外部機器６０は、宅内通信ライン６２で接続されており、各種の情報の情報通信が可能である。各種の情報には、熱交換換気装置１０、排気用ダクト分岐継ぎ手３０の動作に関わる情報、センサ２０における検出結果の情報、外部機器６０から送信される情報などが含まれる。
【００１３】
図４は、本発明の実施の形態１にかかる熱交換換気システム１００に適用される熱交換換気装置１０の構成を示す模式図である。熱交換換気装置１０は、本体を構成する筐体１０５の内部に熱交換器１３を有し、熱交換器１３で熱交換を行いながら各部屋の給排気を行う空気調和用の熱交換換気装置である。熱交換換気装置１０は、天井裏の空間に隠蔽された状態で設置されている。
【００１４】
熱交換換気装置１０は、室外の空気である外気を取り込む室外側吸込口１０１、外気を室内に給気する室内側吹出口１０２、還気である室内空気を取り込む室内側吸込口１０３および室内空気を屋外へ排気する室外側吹出口１０４を備えた筐体１０５の内部に、全熱交換器である熱交換器１３が配置されている。室内側吹出口１０２と室内側吸込口１０３とは、筐体１０５における対向する一対の側面の一方に設けられている。室外側吸込口１０１と室外側吹出口１０４とは、筐体１０５における対向する一対の側面の他方に設けられている。室内空気は、部屋の空気である。
【００１５】
室外側吸込口１０１、室内側吹出口１０２、室内側吸込口１０３および室外側吹出口１０４には、風路を構成するダクトが接続されている。室外側吸込口１０１は、室外側給気ダクト１１１が接続され、室外側給気ダクト１１１を介して屋外と連通している。室内側吹出口１０２は、室内側給気ダクト１１２が接続され、室内側給気ダクト１１２を介して室内と連通している。室内側吸込口１０３は、室内側排気ダクト１１３が接続され、室内側排気ダクト１１３を介して室内と連通している。室外側吹出口１０４は、室外側排気ダクト１１４が接続され、室外側排気ダクト１１４を介して屋外と連通している。
【００１６】
室内側排気ダクト１１３は、第１室内側排気ダクト１１３１と、第２室内側排気ダクト１１３２とに分割されている。第１室内側排気ダクト１１３１における熱交換換気装置１０側である一端は、室内側吸込口１０３に接続されている。第１室内側排気ダクト１１３１における他端は、後述する排気用ダクト分岐継ぎ手３０の主ダクト接続口３５に接続されている。第２室内側排気ダクト１１３２における熱交換換気装置１０側である一端は、後述する排気用ダクト分岐継ぎ手３０の第１分岐口に接続されている。第２室内側排気ダクト１１３２における他端は、室内に設けられた排気取込口に接続されている。
【００１７】
また、筐体１０５の内部には、熱交換器１３において互いに交差して熱交換するように設けられた給気風路１０６と排気風路１０７とが形成されている。
【００１８】
熱交換換気装置１０は、給気用送風機１１と、排気用送風機１２と、熱交換器１３と、制御部１４と、を備える。
【００１９】
給気風路１０６は、外気を室内へ給気するための風路であり、熱交換器１３を介して室外側吸込口１０１と室内側吹出口１０２とを結ぶ熱交換換気装置１０内の風路である。排気風路１０７は、還気である室内空気を室外へ排気するための風路であり、熱交換器１３を介して室内側吸込口１０３と室外側吹出口１０４とを結ぶ熱交換換気装置１０内の風路である。給気風路１０６と排気風路１０７とは、互いに独立した風路となっている。
【００２０】
給気風路１０６には、給気流を形成する給気用送風機１１が設置される。排気風路１０７には、排気流を形成する排気用送風機１２が設置される。筐体１０５には、給気流と排気流との間で熱交換を行う熱交換器１３が設置されている。給気用送風機１１および排気用送風機１２の運転は、制御部１４により制御される。
【００２１】
排気取込口は、浴室１内に対して開口して設けられた排気取込口７１と、洗面所２内に対して開口して設けられた排気取込口７２と、１階トイレ３内に対して開口して設けられた排気取込口７３と、２階トイレ４内に対して開口して設けられた排気取込口７４と、が設けられている。排気取込口７１と排気取込口７２と排気取込口７３と排気取込口７４とは、各々、分岐した第２室内側排気ダクト１１３２における他端に接続されて、第２室内側排気ダクト１１３２と連通している。
【００２２】
排気取込口７１に接続する第２室内側排気ダクト１１３２と、排気取込口７２に接続する第２室内側排気ダクト１１３２と、排気取込口７３に接続する第２室内側排気ダクト１１３２とは、ダクトスペース（Ｄｕｃｔ  Ｓｐａｃｅ：ＤＳ）を介して屋根裏から１階の天井裏まで配設されている。排気取込口７１と排気取込口７２と排気取込口７３と排気取込口７４とから吸い込まれる室内空気は、第２室内側排気ダクト１１３２、排気用ダクト分岐継ぎ手３０および第１室内側排気ダクト１１３１を通って室内側吸込口１０３から熱交換換気装置１０に導入される。
【００２３】
なお、排気取込口の設置場所は、浴室１、洗面所２、１階トイレ３および２階トイレ４に限定されない。
【００２４】
熱交換換気装置１０による２４時間換気は、屋内を２４時間にわたって換気する。機械室５には、機械室５に対して開口して設けられた給気吹出口７５が配置されている。２４時間換気において、排気取込口７１，７２，７３，７４から吸い込まれる室内空気は、第２室内側排気ダクト１１３２、排気用ダクト分岐継ぎ手３０および第１室内側排気ダクト１１３１を通って室内側吸込口１０３から熱交換換気装置１０に導入され、屋外に排気される。そして、熱交換換気装置１０の室内側吹出口１０２から吹き出された外気が、室内側給気ダクト１１２を通って給気吹出口７５から居室に給気される。
【００２５】
なお、ここでは、機械室５に設けられた給気吹出口７５について説明しているが、リビングダイニング（Ｌｉｖｉｎｇ−Ｄｉｎｉｎｇ：ＬＤ）、和室、寝室および子供室などの居室にも、室内に対して開口して設けられた不図示の給気吹出口が配置されている。そして、熱交換換気装置１０の室内側吹出口１０２から吹き出された外気が、室内側給気ダクト１１２を通って給気吹出口から居室に給気される。
【００２６】
熱交換換気装置１０での熱交換器１３を利用した換気においては、給気用送風機１１を運転することにより、室外空気である外気は、室外側給気ダクト１１１を介して室外側吸込口１０１から矢印Ａのように吸い込まれ、給気風路１０６および熱交換器１３を通り、給気用送風機１１により室内側吹出口１０２から矢印Ｂのように吹き出され、室内側給気ダクト１１２を介して室内に給気される。
【００２７】
また、熱交換換気装置１０での熱交換器１３を利用した換気においては、排気用送風機１２を運転することにより、室内空気は、室内側排気ダクト１１３を介して室内側吸込口１０３から矢印Ｃのように吸い込まれ、排気風路１０７および熱交換器１３を通り、排気用送風機１２により室外側吹出口１０４から矢印Ｄのように吹き出され、室外側排気ダクト１１４を介して屋外に給気される。
【００２８】
このとき、熱交換器１３では排気流と給気流との間で熱交換が行われ、排気熱を回収して冷暖房負荷を軽減し、また室内空気を加湿する。なお、排気用送風機１２および給気用送風機１１の運転は、制御部１４により制御される。
【００２９】
給気風路１０６における熱交換器１３よりも上流側には、外気に含まれる塵埃の目詰まりによる熱交換器１３の性能低下を防止するために、熱交換器１３に吸い込まれる外気の塵埃を取り除くエアフィルターである給気エアフィルター１５が、取り外し自在に給気風路１０６に設置されている。また、排気風路１０７における熱交換機１３よりも上流側には、還気に含まれる塵埃の目詰まりによる熱交換器１３の性能低下を防止するために、熱交換器１３に吸い込まれる還気の塵埃を取り除くエアフィルターである排気エアフィルター１６が、取り外し自在に排気風路１０７に設置されている。
【００３０】
制御部１４は、熱交換換気装置１０の動作を制御する。制御部１４は、給気用送風機１１および排気用送風機１２についての運転および停止を制御し、また、運転強度を変更することによって熱交換換気装置１０の換気風量を変化させる。
【００３１】
制御部１４は、例えば、図５に示したハードウェア構成の処理回路として実現される。図５は、本発明の実施の形態１における処理回路のハードウェア構成の一例を示す図である。制御部１４が図５に示す処理回路により実現される場合、制御部１４は、プロセッサ２０１がメモリ２０２に記憶されたプログラムを実行することにより、実現される。また、複数のプロセッサおよび複数のメモリが連携して上記機能を実現してもよい。また、制御部１４の機能のうちの一部を電子回路として実装し、他の部分をプロセッサ２０１およびメモリ２０２を用いて実現するようにしてもよい。
【００３２】
センサ２０は、室内温湿度センサ２１、外気温湿度センサ２２、二酸化炭素（ＣＯ２）センサ２３、においセンサ２４、人感センサ２５および差圧センサ２６といったセンサが設けられている。
【００３３】
室内温湿度センサ２１は、室内から排気される排気流である室内空気の温度および湿度を検出する。室内温湿度センサ２１は、予め決められた周期で室内空気の温度および湿度を検出し、検出結果である室内空気の温度の情報および湿度の情報を制御部１４および後述する排気用ダクト分岐継ぎ手３０の風量切替ダンパ４０のダンパ制御部４３に送信する。室内温湿度センサ２１の設置場所は、排気される室内空気の温度および湿度を検出できれば、特に限定されない。室内温湿度センサ２１は、たとえば後述する排気用ダクト分岐継ぎ手３０の第１分岐口または第１分岐口に連通する部屋に配置される。
【００３４】
外気温湿度センサ２２は、室内に給気される給気流である外気の温度および湿度を検出する。外気温湿度センサ２２は、予め決められた周期で外気の温度および湿度を検出し、検出結果である外気の温度の情報および湿度の情報を制御部１４および後述する排気用ダクト分岐継ぎ手３０の風量切替ダンパ４０のダンパ制御部４３に送信する。外気温湿度センサ２２の設置場所は、給気される外気の温度および湿度を検出できれば、特に限定されない。たとえば、外気温湿度センサ２２が熱交換換気装置１０の筐体１０５の内部に配置される。
【００３５】
なお、室内温湿度センサ２１の代わりに、室内空気の温度を検出する室内温度センサと、室内空気の湿度を検出する室内湿度センサとが個別に設けられてもよい。また、外気温湿度センサ２２の代わりに、外気の温度を検出する外気温度センサと、外気の湿度を検出する外気湿度センサとが個別に設けられてもよい。
【００３６】
ＣＯ２センサ２３は、室内空気のＣＯ２濃度を検出する。ＣＯ２センサ２３は、予め決められた周期で室内空気のＣＯ２濃度を検出し、検出結果であるＣＯ２濃度が予め決められた濃度閾値以上である場合に、検出結果であるＣＯ２濃度の情報を制御部１４および後述する排気用ダクト分岐継ぎ手３０の風量切替ダンパ４０のダンパ制御部４３に送信する。ＣＯ２センサ２３は、排気取込口が設けられた部屋の室内空気のＣＯ２濃度を検出できる場所に配置される。なお、検出結果であるＣＯ２濃度を予め決められた周期で送信してもよい。
【００３７】
においセンサ２４は、室内空気の臭気成分の濃度を検出する。においセンサ２４は、予め決められた周期で室内空気の臭気成分の濃度を検出し、検出結果である臭気成分の濃度が予め決められた濃度閾値以上である場合に、検出結果である臭気成分の濃度の情報を制御部１４および後述する排気用ダクト分岐継ぎ手３０の風量切替ダンパ４０のダンパ制御部４３に送信する。においセンサ２４は、排気取込口が設けられた部屋の室内空気の臭気成分の濃度を検出できる場所に配置される。
【００３８】
人感センサ２５は、部屋における人の存在を検出する。人感センサ２５は、予め決められた周期で部屋における人の存在を検出し、検出結果である人の在否の情報を制御部１４および後述する排気用ダクト分岐継ぎ手３０の風量切替ダンパ４０のダンパ制御部４３に送信する。人感センサ２５は、排気取込口が設けられた部屋における人の存在を検出できる場所に配置される。
【００３９】
差圧センサ２６は、流れる空気の風量を検出する。後述する第１分岐口に配置されて第１分岐口を流れる空気の風量を検出する差圧センサ２６は、第１差圧センサである。後述する主ダクト接続口３５に配置されて主ダクト接続口３５を流れる空気の風量を検出する差圧センサ２６は、第２差圧センサである。
【００４０】
排気用ダクト分岐継ぎ手３０は、熱交換換気装置１０と、換気が必要とされる複数の部屋と、を複数のダクトを介して接続するための排気用ダクト分岐継ぎ手であり、排気経路に設置され、排気経路を分割する。排気用ダクト分岐継ぎ手３０は、室内側排気ダクト１１３の途中に設けられている。すなわち、排気用ダクト分岐継ぎ手３０は、第１室内側排気ダクト１１３１と、第２室内側排気ダクト１１３２と、の間に配置されている。図６は、本発明の実施の形態１にかかる排気用ダクト分岐継ぎ手３０の構造を示す模式図である。
【００４１】
排気用ダクト分岐継ぎ手３０は、主ダクト接続口３５と、複数の第１分岐口と、風量切替ダンパ４０と、を備える。
【００４２】
主ダクト接続口３５は、室内側排気ダクト１１３に用いられる複数のダクトのうち熱交換換気装置１０の室内側吸込口１０３に接続された主ダクトである第１室内側排気ダクト１１３１が接続される接続口である。
【００４３】
第１分岐口は、室内側排気ダクト１１３に用いられる複数のダクトのうち換気が必要とされる部屋と個別に接続された複数の分岐ダクトである第２室内側排気ダクト１１３２が接続される接続口である。第１分岐口としては、浴室分岐口３１と、洗面所分岐口３２と、１階トイレ分岐口３３と、２階トイレ分岐口３４と、が設けられている。
【００４４】
浴室分岐口３１は、浴室１に設けられた排気取込口７１に接続されている第２室内側排気ダクト１１３２が接続された第１分岐口である。浴室１から第２室内側排気ダクト１１３２を通って流れてきた空気は、浴室分岐口３１から排気用ダクト分岐継ぎ手３０の内部に流れ込み、主ダクト接続口３５から第１室内側排気ダクト１１３１に流れる。
【００４５】
洗面所分岐口３２は、洗面所２に設けられた排気取込口７２に接続されている第２室内側排気ダクト１１３２が接続された第１分岐口である。洗面所２から第２室内側排気ダクト１１３２を通って流れてきた空気は、洗面所分岐口３２から排気用ダクト分岐継ぎ手３０の内部に流れ込み、主ダクト接続口３５から第１室内側排気ダクト１１３１に流れる。
【００４６】
１階トイレ分岐口３３は、１階トイレ３に設けられた排気取込口７３に接続されている第２室内側排気ダクト１１３２が接続された第１分岐口である。１階トイレ３から第２室内側排気ダクト１１３２を通って流れてきた空気は、１階トイレ分岐口３３から排気用ダクト分岐継ぎ手３０の内部に流れ込み、主ダクト接続口３５から第１室内側排気ダクト１１３１に流れる。
【００４７】
２階トイレ分岐口３４は、２階トイレ４に設けられた排気取込口７４に接続されている第２室内側排気ダクト１１３２が接続された第１分岐口である。２階トイレ４から第２室内側排気ダクト１１３２を通って流れてきた空気は、２階トイレ分岐口３４から排気用ダクト分岐継ぎ手３０の内部に流れ込み、主ダクト接続口３５から第１室内側排気ダクト１１３１に流れる。
【００４８】
風量切替ダンパ４０は、複数の第１分岐口の各々に設けられ、外部から受信する信号に基づいて第１分岐口を任意の開度で開閉可能とされた電動ダンパである。浴室分岐口３１には、風量切替ダンパ４０である風量切替ダンパ４０１が設けられている。洗面所分岐口３２には、風量切替ダンパ４０である風量切替ダンパ４０２が設けられている。１階トイレ分岐口３３には、風量切替ダンパ４０である風量切替ダンパ４０３が設けられている。２階トイレ分岐口３４には、風量切替ダンパ４０である風量切替ダンパ４０４が設けられている。
【００４９】
風量切替ダンパ４０は、風量制御ダンパ羽根４１と、駆動モータ４２と、ダンパ制御部４３と、を備える。風量制御ダンパ羽根４１は、第１分岐口の内部に設けられて第１分岐口を任意の開度で開閉する。駆動モータ４２は、風量制御ダンパ羽根４１を開閉駆動する。ダンパ制御部４３は、駆動モータ４２を制御して風量制御ダンパ羽根４１の開閉を制御する。
【００５０】
ダンパ制御部４３は、熱交換換気装置１０、換気対象空間に個別に設置された室内温湿度センサ２１、換気対象空間に個別に設置された外気温湿度センサ２２、ＣＯ２センサ２３、においセンサ２４、人感センサ２５、換気対象空間の各部屋に設置された操作スイッチ５０、外部機器６０などから送信された信号を受信し、受信した信号に基づいて風量制御ダンパ羽根４１の開閉および開度を調整する制御を行うことができる。これにより、風量切替ダンパ４０は、第１分岐口を通る空気の換気風量の調整が可能とされている。ダンパ制御部４３は、給気流の空気質を示す信号および給気流の空気質を示す信号の内少なくとも一方に基づいて風量制御ダンパ羽根４１の開度を制御することができる。空気質には、たとえば温度、湿度およびＣＯ２濃度などが含まれる。
【００５１】
なお、ここでは、第１分岐口の分岐数が４である場合について示しているが、第１分岐口の分岐数は４に限定されず、任意の分岐数とすることができる。また、主ダクト接続口３５および各第１分岐口に差圧センサ２６を配置し、流れる空気の風量を監視してもよい。
【００５２】
また、浴室１、洗面所２、１階トイレ３および２階トイレ４の配置は、図１および図２の配置に限定されない。また、換気対象空間は、浴室１、洗面所２、１階トイレ３および２階トイレ４に限定されない。
【００５３】
操作スイッチ５０は、熱交換換気装置１０の運転および停止に関わる情報、換気風量の情報といった情報をユーザから受け付けて熱交換換気装置１０の制御部１４に宅内通信ライン６２を通じて送信する。なお、操作スイッチ５０の代わりに、操作スイッチ５０と同様の機能を有するリモートコントローラを設けることも可能である。
【００５４】
なお、熱交換換気システム１００における各構成部同士は、制御に必要な情報を互いに通信可能とされている。熱交換換気システム１００における各構成部同士の通信は、有線通信であってもよく、無線通信であってもよい。
【００５５】
外部機器６０は、たとえばカレンダー機能を有する機器であり、日時などの情報を後述する排気用ダクト分岐継ぎ手３０の風量切替ダンパ４０のダンパ制御部４３に送信する。
【００５６】
（１階トイレ３のにおいを急速排気する場合）
つぎに、熱交換換気システム１００が１階トイレ３のにおいを急速排気する動作について説明する。１階トイレ３には、操作スイッチ５０、においセンサ２４および人感センサ２５が設置されている。ダンパ制御部４３は、１階トイレ３の使用時に、操作スイッチ５０における換気スイッチの操作信号、においセンサ２４の検出信号、人感センサ２５の検出信号のうち、少なくとも１つを受信すると、風量切替ダンパ４０３の風量制御ダンパ羽根４１の開度を大きくする制御、すなわち風量切替ダンパ４０３の風量制御ダンパ羽根４１の開度を広くする制御を行う。風量切替ダンパ４０３の風量制御ダンパ羽根４１の開度を大きくすることにより、風量制御ダンパ羽根４１による排気流の圧力損失を少なくすることで、排気を排気用ダクト分岐継ぎ手３０に取り込み易くし、１階トイレ３の排気風量を増加させることができる。
【００５７】
換気対象空間である複数の部屋のうち、使用している１階トイレ３のみの換気風量を増やすことで、１階トイレ３のにおいを直ぐに排出できる。このように、排気風量の増加が必要な１階トイレ３のみの換気風量を増加させることで、１階トイレ３を急速に排気するために必要な換気風量まで全ての第１分岐口の換気風量を増やすように熱交換換気装置１０の排気用送風機１２の出力を上げる場合よりも省エネルギーとなる。
【００５８】
なお、熱交換換気装置１０の排気用送風機１２の出力を上げることで、１階トイレ３の換気風量を増やすこともできる。排気用送風機１２の出力を上げる場合には、浴室１、洗面所２および２階トイレ４の換気風量も同様に増加する。この場合は、風量切替ダンパ４０１、風量切替ダンパ４０２および風量切替ダンパ４０４の風量制御ダンパ羽根４１の開度を小さくすることで、すなわち風量切替ダンパ４０１、風量切替ダンパ４０２および風量切替ダンパ４０４の風量制御ダンパ羽根４１の開度を狭くすることで、浴室１、洗面所２および２階トイレ４の換気風量の増加を防ぐことができる。
【００５９】
また、排気用送風機１２の出力を上げずに風量切替ダンパ４０３の風量制御ダンパ羽根４１の開度のみを大きくすると、浴室１、洗面所２および２階トイレ４の換気風量が低下する場合がある。この場合は、風量切替ダンパ４０１、風量切替ダンパ４０２および風量切替ダンパ４０４の風量制御ダンパ羽根４１の開度を広くし、風量制御ダンパ羽根４１による排気流の圧力損失を少なくすることで、換気風量の低下を防止することができる。
【００６０】
（浴室１の湿気を急速排気する場合）
つぎに、熱交換換気システム１００が浴室１の湿気を急速排気する動作について説明する。浴室１には、操作スイッチ５０、室内温湿度センサ２１が設置されている。室内温湿度センサ２１は、予め決められた周期で浴室の空気の湿度を検出し、検出した湿度が予め決められた湿度閾値以上である場合に、湿度が湿度閾値以上であることを示す検出信号を排気用ダクト分岐継ぎ手３０の風量切替ダンパ４０１のダンパ制御部４３に送信する。
【００６１】
ダンパ制御部４３は、浴室１の使用後、操作スイッチ５０における換気スイッチの操作信号および室内温湿度センサ２１の検出信号のうち、少なくとも１つの信号を受信すると、風量切替ダンパ４０１の風量制御ダンパ羽根４１の開度を大きくする制御を行う。風量切替ダンパ４０１の風量制御ダンパ羽根４１の開度を大きくすることにより、風量制御ダンパ羽根４１による排気流の圧力損失を少なくすることで、排気を排気用ダクト分岐継ぎ手３０に取り込み易くし、浴室１の排気風量を増加させることができる。
【００６２】
換気対象空間である複数の部屋のうち、使用した浴室１のみの換気風量を増やすことで、浴室１の湿気を直ぐに排出できる。このように、排気風量の増加が必要な浴室１のみの換気風量を増加させることで、浴室１を急速に排気するために必要な換気風量まで全ての第１分岐口の換気風量を増やすように熱交換換気装置１０の排気用送風機１２の出力を上げる場合よりも省エネルギーとなる。
【００６３】
なお、排気用送風機１２の出力を上げることで、浴室１の換気風量を増やすこともできる。排気用送風機１２の出力を上げる場合には、洗面所２、１階トイレ３および２階トイレ４の換気風量も同様に増加する。この場合は、風量切替ダンパ４０２、風量切替ダンパ４０３および風量切替ダンパ４０４の風量制御ダンパ羽根４１の開度を小さくすることで、洗面所２、１階トイレ３および２階トイレ４の換気風量の増加を防ぐことができる。
【００６４】
また、排気用送風機１２の出力を上げずに風量切替ダンパ４０１の風量制御ダンパ羽根４１の開度のみを大きくすると、風量切替ダンパ４０２、風量切替ダンパ４０３および風量切替ダンパ４０４の換気風量が低下する場合がある。この場合は、風量切替ダンパ４０２、風量切替ダンパ４０３および風量切替ダンパ４０４の風量制御ダンパ羽根４１の開度を広くし、風量制御ダンパ羽根４１による排気流の圧力損失を少なくすることで、換気風量の低下を防止することができる。
【００６５】
（浴室１の湿気を熱交換換気装置１０の熱交換器１３に通さずに換気する場合）
つぎに、熱交換換気システム１００が浴室１の湿気を熱交換換気装置１０の熱交換器１３に通さずに換気する動作について説明する。図７は、本発明の実施の形態１にかかる熱交換換気システム１００に適用される他の熱交換換気装置２１０の構成を示す模式図である。なお、図７においては、給気エアフィルター１５および排気エアフィルター１６の図示を省略している。
【００６６】
他の熱交換換気装置２１０が上述した熱交換換気装置１０と異なる点は、浴室１の空気を取り込む吸込口として浴室側吸込口１２１を有する点と、浴室側吸込口１２１から取り込んだ浴室１の空気を熱交換器１３に通さずに迂回させて室外側吹出口１０４から屋外に向けて排出するバイパス風路１２２を筐体１０５の内部に有する点である。また、浴室側吸込口１２１には、後述する第２分岐口３６と浴室側吸込口１２１とを接続して浴室１の空気を他の熱交換換気装置２１０に取り込むための浴室排気風路を構成する浴室排気ダクト１１３３が接続されている。なお、理解の容易のため、バイパス風路１２２と浴室排気ダクト１１３３とを図２に併せて示している。
【００６７】
図８は、本発明の実施の形態１にかかる他の排気用ダクト分岐継ぎ手３０ａの構造を示す模式図である。他の排気用ダクト分岐継ぎ手３０ａが排気用ダクト分岐継ぎ手３０と異なる点は、浴室分岐口３１に流れ込んだ浴室１の空気の風路を分岐する第２分岐口３６と、第２分岐口３６に設けられた風量切替ダンパ４０である風量切替ダンパ４０５と、を備える点である。第２分岐口３６には、浴室排気ダクト１１３３が接続される。これにより、他の排気用ダクト分岐継ぎ手３０ａでは、浴室１の空気の第１の風路と、浴室１の空気の第２の風路と、を構成可能である。
【００６８】
浴室１の空気の第１の風路は、第２室内側排気ダクト１１３２を通って流れてきた浴室１の空気が浴室分岐口３１から排気用ダクト分岐継ぎ手３０の内部に流れ込み、主ダクト接続口３５から第１室内側排気ダクト１１３１に流れる風路である。浴室１の空気の第２の風路は、第２室内側排気ダクト１１３２を通って流れてきた浴室１の空気が浴室分岐口３１から第２分岐口３６を介して浴室排気ダクト１１３３に流れ込み、他の熱交換換気装置２１０の浴室側吸込口１２１に流れる風路である。浴室１の空気の第１の風路と、浴室１の空気の第２の風路とは、風量切替ダンパ４０５により切替可能である。
【００６９】
熱交換換気装置１０の熱交換器１３は、湿気に弱い素材が使用されている場合がある。この場合、浴室１の使用後の湿気雰囲気を熱交換器１３に通すと熱交換器１３が劣化するおそれがある。このため、浴室１の使用後の湿気雰囲気を熱交換器１３に通さないようにする必要がある。
【００７０】
この場合、風量切替ダンパ４０１のダンパ制御部４３は、浴室１の使用後、操作スイッチ５０における換気スイッチの操作信号および室内温湿度センサ２１の検出信号のうち、少なくとも１つを受信すると、風量切替ダンパ４０１の風量制御ダンパ羽根４１の開度を全閉にする制御を行う。また、風量切替ダンパ４０５のダンパ制御部４３は、浴室１の使用後、操作スイッチ５０における換気スイッチの操作信号および室内温湿度センサ２１の検出信号のうち、少なくとも１つを受信すると、風量切替ダンパ４０５の風量制御ダンパ羽根４１の開度を大きくする制御を行う。これにより、浴室１の空気の風路が浴室１の空気の第２の風路に設定され、熱交換器１３への浴室１の空気の湿気浸入を防ぎつつ、浴室１の排気風量を増やすことができる。
【００７１】
（浴室１の空気の湿度を有効活用する場合）
浴室１の湿気は、熱交換器１３の素材によって、熱交換すると同時に湿度も交換できる場合がある。この場合、排気流である浴室１の湿気を給気流へ取り込むことができる。梅雨の時期は、湿度が高いため、屋外に排出する排気流の湿気を給気流へ取り込んで室内に戻すと、室内の湿度が上がり、室内が不快となる。冬季は、室内空気が乾燥しているため、屋外に排出する排気流の湿気を給気流へ取り込んで室内に戻すことで室内空気の乾燥を緩和することができ、室内が快適となる。このように、梅雨の時期と冬季とで、浴室１の湿気を熱交換器１３へ通す場合と、浴室１の湿気を熱交換器１３へ通さない場合と、を分けることが好ましい。
【００７２】
風量切替ダンパ４０１および風量切替ダンパ４０５のダンパ制御部４３は、外部機器６０から送信される日時情報、操作スイッチ５０における換気スイッチの操作信号、室内温湿度センサ２１の検出信号、外気温湿度センサ２２の検出信号のうち、少なくとも１つの信号を受信し、受信した信号に基づいて、現在の季節が梅雨であることを判定できる。
【００７３】
風量切替ダンパ４０１のダンパ制御部４３は、現在の季節が梅雨であることを判定し、さらに室内温湿度センサ２１の検出信号により室内湿度が予め決められた湿度閾値以上であると判定した場合に、風量切替ダンパ４０１の風量制御ダンパ羽根４１の開度を全閉にする制御を行う。また、風量切替ダンパ４０５のダンパ制御部４３は、現在の季節が梅雨であることを判定し、さらに室内温湿度センサ２１の検出信号により室内湿度が予め決められた湿度閾値以上であると判定した場合に、風量切替ダンパ４０５の風量制御ダンパ羽根４１の開度を大きくする制御を行う。これにより、浴室１の空気の風路が浴室１の空気の第２の風路に設定され、熱交換器１３において浴室１の空気と外気との湿度交換をすることなく浴室１の空気を排気することが可能となる。
【００７４】
また、風量切替ダンパ４０１のダンパ制御部４３は、現在の季節が冬季であることを判定し、さらに室内温湿度センサ２１の検出信号により室内湿度が予め決められた湿度閾値より低いと判定した場合に、風量切替ダンパ４０１の風量制御ダンパ羽根４１の開度を大きくする制御を行う。また、風量切替ダンパ４０５のダンパ制御部４３は、現在の季節が冬季であることを判定し、さらに室内温湿度センサ２１の検出信号により室内湿度が予め決められた湿度閾値より低いと判定した場合に、風量切替ダンパ４０５の風量制御ダンパ羽根４１の開度を全閉にする制御を行う。これにより、浴室１の空気の風路が浴室１の空気の第１の風路に設定され、熱交換器１３において浴室１の空気と外気との湿度交換をして浴室１の空気を排気することが可能となり、室内の湿度を調整して室内の乾燥を解消することが可能となる。
【００７５】
（浴室１、洗面所２の冷風感を緩和する場合）
冬季に風呂に入る場合、風が当たると冷風感を感じることがある。風量切替ダンパ４０１および風量切替ダンパ４０２のダンパ制御部４３は、外部機器６０から送信される日時情報、操作スイッチ５０における換気スイッチの操作信号、室内温湿度センサ２１の検出信号、外気温湿度センサ２２の検出信号のうち、少なくとも１つの信号を受信し、受信した信号に基づいて、現在の季節が冬季であることを判定できる。
【００７６】
風量切替ダンパ４０１のダンパ制御部４３は、現在の季節が冬季であることを判定し、さらに室内温湿度センサ２１の検出信号により室内温度が予め決められた温度閾値以下であると判定した場合に、風量制御ダンパ羽根４１の開度を小さくする制御を行う。また、洗面所分岐口３２に設けられた風量切替ダンパ４０２のダンパ制御部４３は、現在の季節が冬季であることを判定し、さらに室内温湿度センサ２１の検出信号により予め決められた温度閾値以下であると判定した場合に、風量切替ダンパ４０２の風量制御ダンパ羽根４１の開度を小さくする制御を行う。風量制御ダンパ羽根４１の開度を小さくすることにより、風量制御ダンパ羽根４１による排気流の圧力損失を大きくし排気風量を少なくすることで冷風感を抑えることができる。
【００７７】
また、その他の第１分岐口は、浴室１および洗面所２の換気風量が減った分だけ換気風量が増加するように風量制御ダンパ羽根４１の開度を広くしてもよいし、冬季の冷風感の緩和のために風量制御ダンパ羽根４１の開度を維持し、もしくは風量切替ダンパ４０１および風量切替ダンパ４０２と同じようにダンパの開度を狭くして排気風量を少なくしてもよい。また、上記の制御を冬季以外の時期に行うことも可能である。
【００７８】
（住宅全体の熱こもりを緩和する場合）
つぎに、熱交換換気システム１００が住宅全体の熱こもりを緩和する動作について説明する。夏季の日中にエアコンディショナー等の空気調和機を使用しない場合、住宅の中に熱がこもってしまう。この場合、その後のエアコンディショナー等の空気調和機による空気調和の効きが悪くなり、空気調和の負荷が大きくなる。排気用ダクト分岐継ぎ手３０の風量切替ダンパ４０のダンパ制御部４３は、外部機器６０から送信される日時情報、操作スイッチ５０における換気スイッチの操作信号、室内温湿度センサ２１の検出信号、外気温湿度センサ２２の検出信号のうち、少なくとも１つの信号を受信し、受信した信号に基づいて、現在の季節が夏季であることを判定できる。
【００７９】
排気用ダクト分岐継ぎ手３０の各風量切替ダンパ４０のダンパ制御部４３は、現在の季節が夏季であることを判定し、さらに室内温湿度センサ２１の検出信号により室内温度が予め決められた温度閾値以上であると判定した場合に、風量制御ダンパ羽根４１の開度を大きくすることにより、排気風量を増加させることができる。これにより、住宅の中にこもった熱を急速に排熱し、熱こもりを解消することができる。さらに、風量制御ダンパ羽根４１の開度を広くした状態で熱交換換気装置１０の排気用送風機１２の出力を上げることにより、住宅の中に篭もった熱をより早く排熱することもできる。
【００８０】
（タバコ等のにおいを緩和する場合）
つぎに、熱交換換気システム１００が部屋のタバコ等のにおいを緩和する排気を行う動作について説明する。居住者がタバコを吸う部屋には、排気取込口、操作スイッチ５０、においセンサ２４が設置されている。排気取込口は、第２室内側排気ダクト１１３２を介して排気用ダクト分岐継ぎ手３０に接続されているものとする。この場合、排気用ダクト分岐継ぎ手３０には、居住者がタバコを吸う部屋に連通した５つ目の第１分岐口があるものとする。また、５つ目の第１分岐口に風量切替ダンパ４０が取り付けられているものとする。
【００８１】
居住者がタバコを吸う場合、排気用ダクト分岐継ぎ手３０における居住者がタバコを吸う部屋に連通した第１分岐口に設けられた風量切替ダンパ４０のダンパ制御部４３は、操作スイッチ５０における換気スイッチの操作信号およびにおいセンサ２４の検出信号のうち少なくとも１つの信号を受信すると、風量制御ダンパ羽根４１の開度を大きくする制御を行う。風量制御ダンパ羽根４１の開度を大きくすることにより、風量制御ダンパ羽根４１による排気流の圧力損失を少なくして、排気を排気用ダクト分岐継ぎ手３０に取り込み易くし、居住者がタバコを吸う部屋の排気風量を増加させることができる。
【００８２】
換気対象空間である複数の部屋のうち、居住者がタバコを吸う部屋の換気風量を増やすことで、タバコの煙およびにおいをすばやく排気することができる。このように、居住者がタバコを吸う部屋のみの換気風量を増加させることで、居住者がタバコを吸う部屋を急速に排気するために必要な換気風量まで全ての第１分岐口の換気風量を増やすように熱交換換気装置１０の排気用送風機１２の出力を上げる場合よりも省エネルギーとなる。
【００８３】
なお、排気用送風機１２の出力を上げることで、居住者がタバコを吸う部屋の換気風量を増やすこともできる。排気用送風機１２の出力を上げる場合には、浴室１、洗面所２、１階トイレ３および２階トイレ４の換気風量も同様に増加する。この場合は、風量切替ダンパ４０１、風量切替ダンパ４０２、風量切替ダンパ４０３および風量切替ダンパ４０４の風量制御ダンパ羽根４１の開度を小さくすることで、浴室１、洗面所２、１階トイレ３および２階トイレ４の換気風量の増加を防ぐことができる。
【００８４】
また、排気用送風機１２の出力を上げずに居住者がタバコを吸う部屋に連通した第１分岐口に設けられた風量切替ダンパ４０の風量制御ダンパ羽根４１の開度のみを大きくすると、浴室１、洗面所２、１階トイレ３および２階トイレ４の換気風量が低下する場合がある。この場合は、風量切替ダンパ４０１、風量切替ダンパ４０２、風量切替ダンパ４０３および風量切替ダンパ４０４の風量制御ダンパ羽根４１の開度を広くし、風量制御ダンパ羽根４１による排気流の圧力損失を少なくすることで、換気風量の低下を防止することができる。
【００８５】
（レンジフードファン動作時の室内負圧を緩和する場合）
熱交換換気システム１００は、不図示のレンジフードファンに連動させて制御することが可能である。この場合、排気用ダクト分岐継ぎ手３０は、レンジフードファンと通信可能とされる。レンジフードファンを使用した際に、屋内の排気風量が多くなるため屋内が負圧になり、隙間風が増加する場合、玄関のドアが開き難くなることがある。
【００８６】
この場合、運転時にレンジフードファンは、レンジフードファンが動作していることを示す動作信号を排気用ダクト分岐継ぎ手３０の各風量切替ダンパ４０のダンパ制御部４３に送信する。各風量切替ダンパ４０のダンパ制御部４３は、レンジフードファンの動作信号を受信すると、各々の風量制御ダンパ羽根４１の開度を狭くし、風量制御ダンパ羽根４１による排気流の圧力損失を増やす制御を行う。これにより、熱交換換気装置１０からの排気風量を減らすことができ、レンジフードファンによる排気と熱交換換気装置１０による排気とに起因した室内の負圧を低減することができる。
【００８７】
（全停止時の外気侵入を防ぐ場合）
降雪量が多い場合または熱交換換気システム１００を長期使用しない場合には、熱交換換気装置１０の運転を止める場合がある。この場合、レンジフードファンなどの局所排気の影響により、屋内が負圧となり、室外側給気ダクト１１１を介して意図せず外気が吸い込まれる場合がある。
【００８８】
そこで、熱交換換気装置１０の運転が停止する場合、熱交換換気装置１０の制御部１４が、熱交換換気装置１０の運転停止を示す運転停止信号を排気用ダクト分岐継ぎ手３０の各風量切替ダンパ４０に送信する。各風量切替ダンパ４０のダンパ制御部４３は、熱交換換気装置１０の運転停止信号を受信すると、各々の風量制御ダンパ羽根４１の開度を全閉にする制御を行う。これにより、室外側給気ダクト１１１からの意図しない空気侵入を防ぐことができる。
【００８９】
（排気エアフィルター１６の詰まりによる換気風量の低下を緩和する場合）
図９は、本発明の実施の形態１にかかる他の排気用ダクト分岐継ぎ手３０ｂの構造を示す模式図である。図９に示す他の排気用ダクト分岐継ぎ手３０ｂは、主ダクト接続口３５および各第１分岐口に差圧センサ２６が設けられており、主ダクト接続口３５および各第１分岐口を流れる空気の風量を検出できることが、図８に示す他の排気用ダクト分岐継ぎ手３０ａと異なる。すなわち、他の排気用ダクト分岐継ぎ手３０ｂは、主ダクト接続口３５と浴室分岐口３１と洗面所分岐口３２と１階トイレ分岐口３３と２階トイレ分岐口３４とに、差圧センサ２６が設けられている。
【００９０】
熱交換換気装置１０を使用していると排気エアフィルター１６にゴミが詰まり、排気エアフィルター１６の圧力損失が増えることにより排気風量が低下する場合がある。排気風量が低下した場合、適正な換気ができなくなってしまう。
【００９１】
そこで、浴室分岐口３１、洗面所分岐口３２、１階トイレ分岐口３３および２階トイレ分岐口３４に設けられた各差圧センサ２６は、予め決められた周期で第１分岐口を流れる空気の風量を検出する。各差圧センサ２６は、検出した空気の風量が予め決められた風量閾値以下である場合に、空気の風量が風量閾値以下であることを示す検出信号を、各差圧センサ２６が設けられた第１分岐口の風量切替ダンパ４０のダンパ制御部４３に送信する。
【００９２】
風量切替ダンパ４０１、風量切替ダンパ４０２、風量切替ダンパ４０３および風量切替ダンパ４０４および風量切替ダンパ４０５のダンパ制御部４３は、差圧センサ２６から検出信号を受信すると、風量制御ダンパ羽根４１の開度を大きくする制御を行う。風量切替ダンパ４０の風量制御ダンパ羽根４１の開度を大きくすることにより、換気風量を増加させて換気風量低下を防ぎ、適切な換気風量を保つことができる。
【００９３】
（熱交換換気装置１０の給気温度を高くする場合）
つぎに、熱交換換気システム１００が熱交換換気装置１０からの給気流の温度である給気温度を高くする動作について説明する。熱交換換気装置１０は、外気と室内空気とで熱交換をする。すなわち、熱交換換気装置１０は、室内空気の温度と外気の温度との間で温度交換をする。このため、熱交換換気装置１０は、熱交換器１３を通る排気流の温度が、室内の適正温度に近いほうが、熱交換換気装置１０の機能をより発揮することができる。たとえば、冬季に洗面所２などの空気調和されていない部屋からの排気と外気との間で熱交換をするよりも、居室等の空気調和された部屋からの排気との間で熱交換するほうが、室内に吸気される給気流の温度である給気温度が高くなる。これにより、給気による居室の温度低下が少なくなる。
【００９４】
そこで、浴室１、洗面所２、１階トイレ３および２階トイレ４に設けられた浴室分岐口３１、洗面所分岐口３２、１階トイレ分岐口３３および２階トイレ分岐口３４に室内温湿度センサ２１を取り付ける。各室内温湿度センサ２１は、予め決められた周期で各第１分岐口を流れる空気の温度を検出し、検出した温度が予め決められた温度閾値以上である場合に、検出結果である温度の情報である検出信号を排気用ダクト分岐継ぎ手３０のダンパ制御部４３に送信する。
【００９５】
例えば冬季において、洗面所分岐口３２に取り付けられた室内温湿度センサ２１は、予め決められた周期で洗面所分岐口３２を流れる空気の温度を検出し、検出した温度が予め決められた温度閾値以下である場合に、検出した温度が温度閾値以下であることを示す検出信号を風量切替ダンパ４０２のダンパ制御部４３に送信する。ダンパ制御部４３は、室内温湿度センサ２１の検出信号を受信すると、風量制御ダンパ羽根４１の開度を小さくする制御を行う。風量制御ダンパ羽根４１の開度を小さくすることにより、風量制御ダンパ羽根４１による排気流の圧力損失を大きくすることで、排気を排気用ダクト分岐継ぎ手３０に取り込み難くし、洗面所２の排気風量を低減させることができる。
【００９６】
一方、空気調和された居室に、排気取込口を設置する。排気取込口は、第２室内側排気ダクト１１３２を介して排気用ダクト分岐継ぎ手３０に接続されているものとする。この場合、排気用ダクト分岐継ぎ手３０には、５つ目の第１分岐口があるものとする。また、５つ目の第１分岐口に風量切替ダンパ４０および室内温湿度センサ２１を取り付ける。
【００９７】
例えば冬季において、５つ目の第１分岐口に取り付けられた室内温湿度センサ２１は、予め決められた周期で５つ目の第１分岐口を流れる空気の温度を検出し、検出した温度が予め決められた温度閾値よりも高い場合に、検出した温度が温度閾値よりも高いことを示す検出信号を５つ目の第１分岐口に取り付けられた風量切替ダンパ４０のダンパ制御部４３に送信する。ダンパ制御部４３は、室内温湿度センサ２１の検出信号を受信すると、風量切替ダンパ４０２の風量制御ダンパ羽根４１の開度を狭くした分、５つ目の第１分岐口に取り付けられた風量切替ダンパ４０の風量制御ダンパ羽根４１の開度を大きくする。これにより、熱交換換気装置１０に導入される排気流の排気風量を保持したまま、熱交換換気装置１０に導入される排気流の温度を上げることができる。この結果、熱交換器１３での給気流と排気流との熱交換により、給気温度を上げることができる。
【００９８】
なお、ダンパ制御部４３が、室内温湿度センサ２１が検出した温度を示す検出信号を受信して、検出信号と温度閾値とを比較してもよい。
【００９９】
（第１分岐口を通る空気の風量を制御する場合）
つぎに、第１分岐口を通る空気の風量を制御する場合について説明する。換気対象の各部屋の換気風量は、排気グリルおよびダクトの配管長によって圧力損失が異なるため、熱交換換気システム１００の施工条件によって異なる。換気対象の各部屋の換気風量は、各第１分岐口に通る空気の風量と換言できる。各部屋の換気風量を同じ換気風量にするために、浴室分岐口３１、洗面所分岐口３２、１階トイレ分岐口３３および２階トイレ分岐口３４の各第１分岐口に差圧センサ２６を設置し、各第１分岐口を通る空気の風量を風量制御部８０が監視してもよい。
【０１００】
風量制御部８０は、各部屋の換気風量を同じ換気風量にするために、各第１分岐口を通る空気の風量を監視し、各第１分岐口に配置された風量切替ダンパ４０の風量制御ダンパ羽根４１の開度を調整する制御を行う。風量制御部８０は、各差圧センサ２６、各風量切替ダンパ４０および熱交換換気装置１０と通信可能とされている。風量制御部８０は、排気用ダクト分岐継ぎ手３０に設けられる。
【０１０１】
図１０は、本発明の実施の形態１にかかる風量制御部８０への信号の入出力を示す図である。風量制御部８０は、各差圧センサ２６が予め決められた周期で検出した、各第１分岐口を通る空気の風量を示す信号を受信する。風量制御部８０は、各差圧センサ２６から受信した信号に基づいて、各第１分岐口に配置された風量切替ダンパ４０のダンパ制御部４３に、風量制御ダンパ羽根４１の開度の調整を指示する信号を送信する。また、風量制御部８０は、各差圧センサ２６から受信した信号に基づいて、排気用送風機１２の出力の変更を指示する信号を熱交換換気装置１０へ送信する。
【０１０２】
そして、風量制御部８０は、第１分岐口を通る空気の風量が予め決められた規定値よりも少ない場合は、風量切替ダンパ４０の風量制御ダンパ羽根４１の開度を広くして第１分岐口を通る空気の風量を増加させる制御を行う。また、風量制御部８０は、第１分岐口を通る空気の風量が予め決められた規定値よりも多い場合は、風量切替ダンパ４０の風量制御ダンパ羽根４１の開度を狭くして第１分岐口を通る空気の風量を低減させる制御を行う。
【０１０３】
この場合、他の第１分岐口を通る空気の風量も変化する。このため、風量制御部８０は、他の第１分岐口に配置された風量切替ダンパ４０の風量制御ダンパ羽根４１の開度を調整する。それでもなお、他の第１分岐口を通る空気の風量が不足し、または多い場合は、風量制御部８０は、排気用送風機１２の出力の変更を指示する制御信号を熱交換換気装置１０へ送り、排気用送風機１２の出力を調整することで他の第１分岐口を通る空気の風量を調整して他の第１分岐口における換気風量を予め決められた規定値で一定に保つ制御を行う。
【０１０４】
図１１は、本発明の実施の形態１にかかる風量制御部８０が第１分岐口を通る空気の風量を一定に保つ処理の手順を示すフローチャートである。
【０１０５】
ステップＳ１０において、風量制御部８０は、差圧センサ２６が予め決められた周期で検出した検出値が予め決められた規定値であるか否かを判定する。すなわち、風量制御部８０は、差圧センサ２６が予め決められた周期で検出した、第１分岐口を通る空気の風量を示す信号を受信し、信号に示される風量が予め決められた規定値であるか否かを判定する。検出値が予め決められた規定値である場合は、ステップＳ１０においてＹｅｓとなり、ステップＳ２０に進む。検出値が予め決められた規定値でない場合は、ステップＳ１０においてＮｏとなり、ステップＳ３０に進む。
【０１０６】
ステップＳ２０において、風量制御部８０は、第１分岐口に配置された風量切替ダンパ４０の風量制御ダンパ羽根４１の開度を現在の開度に維持する制御を行い、ステップＳ１０に戻る。
【０１０７】
ステップＳ３０において、風量制御部８０は、差圧センサ２６の検出値が予め決められた規定値以下であるか否かを判定する。検出値が予め決められた規定値以下である場合は、ステップＳ３０においてＹｅｓとなり、ステップＳ４０に進む。検出値が予め決められた規定値以下ではない場合は、ステップＳ３０においてＮｏとなり、ステップＳ７０に進む。
【０１０８】
ステップＳ４０において、風量制御部８０は、第１分岐口に配置された風量切替ダンパ４０の風量制御ダンパ羽根４１の開度を増加できるか否かを判定する。風量制御ダンパ羽根４１の開度を増加できる場合は、ステップＳ４０においてＹｅｓとなり、ステップＳ５０に進む。風量制御ダンパ羽根４１の開度を増加できない場合は、ステップＳ４０においてＮｏとなり、ステップＳ６０に進む。
【０１０９】
ステップＳ５０において、風量制御部８０は、第１分岐口に配置された風量切替ダンパ４０の風量制御ダンパ羽根４１の開度を増加させる制御を行い、ステップＳ１０に戻る。
【０１１０】
ステップＳ６０において、風量制御部８０は、熱交換換気装置１０の排気用送風機１２のモータパワーを増加させる制御を行い、ステップＳ１０に戻る。
【０１１１】
ステップＳ７０において、風量制御部８０は、第１分岐口に配置された風量切替ダンパ４０の風量制御ダンパ羽根４１の開度を狭くできるか否かを判定する。風量制御ダンパ羽根４１の開度を狭くできる場合は、ステップＳ７０においてＹｅｓとなり、ステップＳ８０に進む。風量制御ダンパ羽根４１の開度を狭くできない場合は、ステップＳ７０においてＮｏとなり、ステップＳ９０に進む。
【０１１２】
ステップＳ８０において、風量制御部８０は、第１分岐口に配置された風量切替ダンパ４０の風量制御ダンパ羽根４１の開度を減らす制御、すなわち開度を狭くさせる制御を行い、ステップＳ１０に戻る。
【０１１３】
ステップＳ９０において、風量制御部８０は、熱交換換気装置１０の排気用送風機１２のモータパワーを減少させる制御を行い、ステップＳ１０に戻る。
【０１１４】
風量制御部８０は、上記の制御を行うことにより、第１分岐口における換気風量を予め決められた規定値で一定に保つ制御を行うことができる。
【０１１５】
また、各第１分岐口に配置された第１差圧センサである差圧センサ２６から受信する信号を用いずに、主ダクト接続口３５に設けた第２差圧センサである差圧センサ２６から受信した、主ダクト接続口３５を通る空気の風量を示す信号に基づいて、主ダクト接続口３５を通る空気の風量を予め決められた規定値で一定にする方法もある。この場合、各第１分岐口を通る空気の合計の風量は分かるが、各第１分岐口を通る空気の個別の風量は分からない。そこで、各第１分岐口に配置された風量切替ダンパ４０の風量制御ダンパ羽根４１の開度と、主ダクト接続口３５を通る空気の風量とを実験で予め測定する。
【０１１６】
そして、各第１分岐口に配置された風量切替ダンパ４０の風量制御ダンパ羽根４１の開度と、主ダクト接続口３５を通る空気の風量とが関連付けられた関係情報を示す動作テーブルを作成しておく。風量制御部８０は、動作テーブルを用いることで、主ダクト接続口３５に設けた差圧センサ２６から受信した信号のみで、主ダクト接続口３５を通る空気の風量を予め決められた規定値に保つことが可能である。
【０１１７】
すなわち、主ダクト接続口３５に配置された差圧センサ２６から受信した信号に示される主ダクト接続口３５を通る空気の風量が、予め決められた規定値ではない場合には、風量制御部８０は、予め決められた規定値に対応する各第１分岐口に配置された風量切替ダンパ４０の風量制御ダンパ羽根４１の開度の情報を動作テーブルから取得する。そして、風量制御部８０は、各第１分岐口に配置された風量切替ダンパ４０の風量制御ダンパ羽根４１の開度を、取得した風量制御ダンパ羽根４１の開度に調整するための信号を各第１分岐口に配置された風量切替ダンパ４０に送信する。各第１分岐口に配置された風量切替ダンパ４０は、風量制御部８０から送信された信号に基づいて風量制御ダンパ羽根４１の開度を調整する。
【０１１８】
なお、風量制御部８０は、動作テーブルを用いることにより、主ダクト接続口３５を通る空気の風量を、予め決められた規定値以外の風量に保つように制御することも可能である。
【０１１９】
上述したように、本実施の形態１にかかる排気用ダクト分岐継ぎ手３０は、換気対象空間である各部屋の排気風量を、風量切替ダンパ４０を用いて個別に且つ容易に増減することができる。また、各部屋の排気風量を個別に制御するための風量切替ダンパ４０が排気用ダクト分岐継ぎ手３０に集約されて設置されているため、風量切替ダンパ４０の施工およびメンテナンス場所を排気用ダクト分岐継ぎ手３０の１箇所にすることができる。
【０１２０】
これにより、本実施の形態１にかかる排気用ダクト分岐継ぎ手３０によれば、複数の部屋からの排気風路の風量を個別に調整可能になり、室内の快適性が得られるとともに、低コストおよびメンテナンスの簡易化を実現でき、排気用ダクト分岐継ぎ手の機能を拡充することができる。
【０１２１】
以上の実施の形態に示した構成は、本発明の内容の一例を示すものであり、実施の形態における技術同士を組み合わせることも可能であるし、別の公知の技術と組み合わせることも可能であるし、本発明の要旨を逸脱しない範囲で、構成の一部を省略、変更することも可能である。
【符号の説明】
【０１２２】
１  浴室、２  洗面所、３  １階トイレ、４  ２階トイレ、５  機械室、１０，２１０  熱交換換気装置、１１  給気用送風機、１２  排気用送風機、１３  熱交換器、１４  制御部、１５  給気エアフィルター、１６  排気エアフィルター、２０  センサ、２１  室内温湿度センサ、２２  外気温湿度センサ、２３  二酸化炭素（ＣＯ２）センサ、２４  においセンサ、２５  人感センサ、２６  差圧センサ、３０，３０ａ，３０ｂ  排気用ダクト分岐継ぎ手、３１  浴室分岐口、３２  洗面所分岐口、３３  １階トイレ分岐口、３４  ２階トイレ分岐口、３５  主ダクト接続口、３６  第２分岐口、４０，４０１，４０２，４０３，４０４，４０５  風量切替ダンパ、４１  風量制御ダンパ羽根、４２  駆動モータ、４３  ダンパ制御部、５０  操作スイッチ、６０  外部機器、６２  宅内通信ライン、７１，７２，７３，７４  排気取込口、７５  給気吹出口、８０  風量制御部、１００  熱交換換気システム、１０１  室外側吸込口、１０２  室内側吹出口、１０３  室内側吸込口、１０４  室外側吹出口、１０５  筐体、１０６  給気風路、１０７  排気風路、１１１  室外側給気ダクト、１１２  室内側給気ダクト、１１３  室内側排気ダクト、１１４  室外側排気ダクト、１２１  浴室側吸込口、１２２  バイパス風路、２０１  プロセッサ、２０２  メモリ、１１３１  第１室内側排気ダクト、１１３２  第２室内側排気ダクト、１１３３  浴室排気ダクト。
【図１】
2020201015.tif 000003
【図２】
2020201015.tif 000004
【図３】
2020201015.tif 000005
【図４】
2020201015.tif 000006
【図５】
2020201015.tif 000007
【図６】
2020201015.tif 000008
【図７】
2020201015.tif 000009
【図８】
2020201015.tif 000010
【図９】
2020201015.tif 000011
【図１０】
2020201015.tif 000012
【図１１】
2020201015.tif 000013